(57)【特許請求の範囲】
【請求項１】
発生器（２）、室外熱交換器（４）、逆止弁（６Ａ）を併設した冷房用減圧機構（５Ａ）、逆止弁（６Ｂ）を併設した暖房用減圧機構（５Ｂ）、室内熱交換器（７）、冷房用吸収熱交換器（８）、吸収器（９）を順次接続してなる吸収式冷凍装置であって、冷房運転時には前記発生器（２）から導かれる高温冷媒蒸気（ｇ1）を前記室外熱交換器（４）へ導き且つ前記室内熱交換器（７）から導かれる低温冷媒蒸気（ｇ2）を前記冷房用吸収熱交換器（８）へ導くとともに、暖房運転時には前記発生器（２）から導かれる高温冷媒蒸気（ｇ1）を前記室内熱交換器（７）へ導き且つ前記室外熱交換器（４）から導かれる低温冷媒蒸気（ｇ2）を前記冷房用吸収熱交換器（８）へ導くように冷媒流通方向を切り換える四路切換弁（１４）と、暖房運転時にのみ前記室内熱交換器（７）から導かれる凝縮液冷媒（ｌ3）の一部が供給され且つ前記冷房用吸収熱交換器（８）と一体形成された暖房用吸収熱交換器（１７）を備え、該暖房用吸収熱交換器（１７）において蒸発気化された冷媒蒸気（ｇ3）を前記発生器（２）から前記四路切換弁（１４）に導かれる途中の高温冷媒蒸気（ｇ1）に合流させる第１バイパス回路（１８）と、暖房運転時にのみ前記吸収器（９）の入口側の吸収液を前記吸収器（９）の出口側に側路させる第２バイパス回路（２１）とを付設したことを特徴とする吸収式冷凍装置。
【請求項２】
前記第１バイパス回路（１８）における暖房用吸収熱交換器（１７）の入口側に凝縮液冷媒（ｌ3）を圧送するための溶液ポンプ（１９）を介設するとともに、前記吸収器（９）から導かれる吸収濃溶液（ｌ2）の一部を前記溶液ポンプ（１９）の入口側へ導く濃溶液供給回路（２４）を付設したことを特徴とする前記請求項１記載の吸収式冷凍装置。
【請求項３】
発生器（２）、室外熱交換器（４）、逆止弁（６Ａ）を併設した冷房用減圧機構（５Ａ）、逆止弁（６Ｂ）を併設した暖房用減圧機構（５Ｂ）、室内熱交換器（７）、冷房用吸収熱交換器（８）、吸収器（９）を順次接続してなる吸収式冷凍装置であって、冷房運転時には前記発生器（２）から導かれる高温冷媒蒸気（ｇ1）を前記室外熱交換器（４）へ導き且つ前記室内熱交換器（７）から導かれる低温冷媒蒸気（ｇ2）を前記冷房用吸収熱交換器（８）へ導くとともに、暖房運転時には前記発生器（２）から導かれる高温冷媒蒸気（ｇ1）を前記室内熱交換器（７）へ導き且つ前記室外熱交換器（４）から導かれる低温冷媒蒸気（ｇ2）を前記冷房用吸収熱交換器（８）へ導くように冷媒流通方向を切り換える四路切換弁（１４）と、暖房運転時にのみ前記室内熱交換器（７）から導かれる凝縮液冷媒（ｌ3）の一部が供給され且つ前記冷房用吸収熱交換器（８）と一体形成された暖房用吸収熱交換器（１７）を備え、該暖房用吸収熱交換器（１７）において蒸発気化された冷媒蒸気（ｇ3）を前記発生器（２）から前記四路切換弁（１４）に導かれる途中の高温冷媒蒸気（ｇ1）に合流させる第１バイパス回路（１８）とを付設するとともに、前記第１バイパス回路（１８）における暖房用吸収熱交換器（１７）の入口側に凝縮液冷媒（ｌ3）を圧送するための溶液ポンプ（１９）を介設し且つ前記吸収器（９）から導かれる吸収濃溶液（ｌ2）の一部を前記溶液ポンプ（１９）の入口側へ導く濃溶液供給回路（２４）を付設したことを特徴とする吸収式冷凍装置。
【請求項４】
前記第１バイパス回路（１８）における前記暖房用吸収熱交換器（１７）の出口側に気液分離器（２６）を設けるとともに、該気液分離器（２６）における液相部（２６ａ）の濃溶液（ｌ2）を前記吸収器（９）から導かれる吸収濃溶液（ｌ4）に合流させる一方、前記気液分離器（２６）における気相部（２６ｂ）の冷媒蒸気（ｇ3）を前記発生器（２）から前記四路切換弁（１４）に導かれる途中の高温冷媒蒸気（ｇ1）に合流させたことを特徴とする前記請求項２および請求項３のいずれか一項記載の吸収式冷凍装置。
【請求項５】
前記室外熱交換器（４）と前記室内熱交換器（７）との間に凝縮液冷媒（ｌ3）を貯溜するレシーバ（１５）を介設するとともに、該レシーバ（１５）に前記第１バイパス回路（１８）を接続したことを特徴とする前記請求項１ないし請求項４のいずれか一項記載の吸収式冷凍装置。
【請求項６】
発生器（２）、室外熱交換器（４）、逆止弁（６Ａ）を併設した冷房用減圧機構（５Ａ）、逆止弁（６Ｂ）を併設した暖房用減圧機構（５Ｂ）、室内熱交換器（７）、冷房用吸収熱交換器（８）、吸収器（９）を順次接続してなる吸収式冷凍装置であって、冷房運転時には前記発生器（２）から導かれる高温冷媒蒸気（ｇ1）を前記室外熱交換器（４）へ導き且つ前記室内熱交換器（７）から導かれる低温冷媒蒸気（ｇ2）を前記冷房用吸収熱交換器（８）へ導くとともに、暖房運転時には前記発生器（２）から導かれる高温冷媒蒸気（ｇ1）を前記室内熱交換器（７）へ導き且つ前記室外熱交換器（４）から導かれる低温冷媒蒸気（ｇ2）を前記冷房用吸収熱交換器（８）へ導くように冷媒流通方向を切り換える四路切換弁（１４）と、暖房運転時にのみ前記室内熱交換器（７）から導かれる凝縮液冷媒（ｌ3）の一部が供給され且つ前記冷房用吸収熱交換器（８）と一体形成された暖房用吸収熱交換器（１７）を備え、該暖房用吸収熱交換器（１７）において蒸発気化された冷媒蒸気（ｇ3）を前記発生器（２）から前記四路切換弁（１４）に導かれる途中の高温冷媒蒸気（ｇ1）に合流させる第１バイパス回路（１８）とを付設するとともに、前記室外熱交換器（４）と前記室内熱交換器（７）との間に凝縮液冷媒（ｌ3）を貯溜するレシーバ（１５）を介設するとともに、該レシーバ（１５）に前記第１バイパス回路（１８）を接続したことを特徴とする吸収式冷凍装置。
【発明の詳細な説明】
【０００１】
【発明の属する技術分野】
【０００２】
本願発明は、吸収式冷凍装置に関するものである。
【従来の技術】
【０００３】
一般に、吸収式冷凍装置は、発生器、凝縮器、蒸発器、吸収熱交換器および吸収器を順次接続して構成されており、冷暖房兼用タイプのものも開発されている。
【０００４】
この冷暖房兼用タイプの吸収式冷凍装置における冷暖切換機構としては、水などの二次媒体を利用し、冷房運転時には蒸発器において発生する冷熱を二次媒体により熱搬送して冷房用熱源とし、暖房運転時には凝縮器や吸収器において発生する温熱を二次媒体により熱搬送して暖房用熱源として用いるようにしたものが採用されている。
【発明が解決しようとする課題】
【０００５】
ところが、上記従来技術のものでは、冷暖切換機構を、二次媒体の経路変更により行うようにしているため、構造が複雑となるとともに、コストアップにもなる。
【０００６】
吸収式冷凍装置において、四路切換弁を用いて発生器において発生せしめられた冷媒蒸気を室外熱交換器あるいは室内熱交換器に導き得るように構成して、冷暖房兼用タイプとする試みもなされているが、この場合、暖房運転時において、ボイラーと同等の機能しか得られず、吸収熱を利用できないという不具合があった。
【０００７】
本願発明は、上記の点に鑑みてなされたもので、四路切換弁により冷媒流通方向を切り換える暖房サイクルにおいて吸収熱を利用できるようにすることを目的とするものである。
【課題を解決するための手段】
【０００８】
本願発明の第１の基本構成（請求項１の発明）では、上記課題を解決するための手段として、発生器２、室外熱交換器４、逆止弁６Ａを併設した冷房用減圧機構５Ａ、逆止弁６Ｂを併設した暖房用減圧機構５Ｂ、室内熱交換器７、冷房用吸収熱交換器８、吸収器９を順次接続してなる吸収式冷凍装置において、冷房運転時には前記発生器２から導かれる高温冷媒蒸気ｇ1を前記室外熱交換器４へ導き且つ前記室内熱交換器７から導かれる低温冷媒蒸気ｇ2を前記冷房用吸収熱交換器８へ導くとともに、暖房運転時には前記発生器２から導かれる高温冷媒蒸気ｇ1を前記室内熱交換器７へ導き且つ前記室外熱交換器４から導かれる低温冷媒蒸気ｇ2を前記冷房用吸収熱交換器８へ導くように冷媒流通方向を切り換える四路切換弁１４と、暖房運転時にのみ前記室内熱交換器７から導かれる凝縮液冷媒ｌ3の一部が供給され且つ前記冷房用吸収熱交換器８と一体形成された暖房用吸収熱交換器１７を備え、該暖房用吸収熱交換器１７において蒸発気化された冷媒蒸気ｇ3を前記発生器２から前記四路切換弁１４に導かれる途中の高温冷媒蒸気ｇ1に合流させる第１バイパス回路１８と、暖房運転時にのみ前記吸収器９の入口側の吸収液を前記吸収器９の出口側に側路させる第２バイパス回路２１とを付設している。
【０００９】
上記のように構成したことにより、冷房運転時においては発生器２において発生された高温冷媒蒸気ｇ1が凝縮器として作用する室外熱交換器４において凝縮液化され、冷房用減圧機構５Ａにおいて減圧された後、蒸発器として作用する室内熱交換器７において蒸発気化され、その際発生せしめられる冷熱が室内冷房用熱源として利用される。なお、室内熱交換器７において蒸発気化された冷媒蒸気ｇ2は冷房用吸収熱交換器８および吸収器９において発生器２から導かれた吸収希溶液ｌ1に吸収されて吸収濃溶液ｌ2となって発生器２へ還流される。
【００１０】
一方、暖房運転時においては発生器２において発生された高温冷媒蒸気ｇ1が凝縮器として作用する室内熱交換器７において凝縮液化され、その際発生せしめられる温熱が室内暖房用熱源として利用される。そして、室内熱交換器７において凝縮液化された凝縮液冷媒ｌ3は、暖房用減圧機構５Ｂにおいて減圧された後、蒸発器として作用する室外熱交換器４において蒸発気化されて低温冷媒蒸気ｇ2となり、その後冷房用吸収熱交換器８および吸収器９において発生器２から導かれた吸収希溶液ｌ1に吸収されて吸収濃溶液ｌ2となって発生器２へ還流されるが、前記凝縮液冷媒ｌ3の一部は、前記冷房用吸収熱交換器８と一体形成された暖房用吸収熱交換器１７に供給され、ここで低温冷媒蒸気ｇ2の吸収希溶液ｌ1への吸収により生じた吸収熱によって蒸発気化されて冷媒蒸気ｇ3となって前記発生器２から四路切換弁１４に導かれる高温冷媒蒸気ｇ1に合流される。つまり、暖房用吸収熱交換器１７において吸収熱の回収が行われることとなり、暖房成績係数（以下、ＣＯＰという）が向上することとなるのである。
【００１１】
また、暖房運転時にのみ前記吸収器９の入口側の吸収液を前記吸収器９の出口側に側路させる第２バイパス回路２１を付設したことにより、吸収熱交換器８，１７において回収されなかった熱が系外へ放出されることがなくなり、さらなる暖房ＣＯＰの向上が得られる。
【００１２】
請求項２の発明におけるように、前記第１バイパス回路１８における暖房用吸収熱交換器１７の入口側に凝縮液冷媒ｌ3を圧送するための溶液ポンプ１９を介設するとともに、前記吸収器９から導かれる吸収濃溶液ｌ2の一部を前記溶液ポンプ１９の入口側へ導く濃溶液供給回路２４を付設した場合、凝縮液冷媒ｌ3の暖房用吸収熱交換器１７への供給がヘッド差に関係なく円滑に行えるとともに、溶液ポンプ１９の入口側への吸収濃溶液ｌ2の供給により溶液の粘性の不足（即ち、冷媒のみでは潤滑が不十分となる）による溶液ポンプ１９の焼き付きを防止できる。
【００１３】
本願発明の第２の基本構成（請求項３の発明）では、上記課題を解決するための手段として、発生器２、室外熱交換器４、逆止弁６Ａを併設した冷房用減圧機構５Ａ、逆止弁６Ｂを併設した暖房用減圧機構５Ｂ、室内熱交換器７、冷房用吸収熱交換器８、吸収器９を順次接続してなる吸収式冷凍装置において、冷房運転時には前記発生器２から導かれる高温冷媒蒸気ｇ1を前記室外熱交換器４へ導き且つ前記室内熱交換器７から導かれる低温冷媒蒸気ｇ2を前記冷房用吸収熱交換器８へ導くとともに、暖房運転時には前記発生器２から導かれる高温冷媒蒸気ｇ1を前記室内熱交換器７へ導き且つ前記室外熱交換器４から導かれる低温冷媒蒸気ｇ2を前記冷房用吸収熱交換器８へ導くように冷媒流通方向を切り換える四路切換弁１４と、暖房運転時にのみ前記室内熱交換器７から導かれる凝縮液冷媒ｌ3の一部が供給され且つ前記冷房用吸収熱交換器８と一体形成された暖房用吸収熱交換器１７を備え、該暖房用吸収熱交換器１７において蒸発気化された冷媒蒸気ｇ3を前記発生器２から前記四路切換弁１４に導かれる途中の高温冷媒蒸気ｇ1に合流させる第１バイパス回路１８とを付設するとともに、前記第１バイパス回路１８における暖房用吸収熱交換器１７の入口側に凝縮液冷媒ｌ3を圧送するための溶液ポンプ１９を介設し且つ前記吸収器９から導かれる吸収濃溶液ｌ2の一部を前記溶液ポンプ１９の入口側へ導く濃溶液供給回路２４を付設している。
【００１４】
上記のように構成したことにより、冷房運転時においては発生器２において発生された高温冷媒蒸気ｇ1が凝縮器として作用する室外熱交換器４において凝縮液化され、冷房用減圧機構５Ａにおいて減圧された後、蒸発器として作用する室内熱交換器７において蒸発気化され、その際発生せしめられる冷熱が室内冷房用熱源として利用される。なお、室内熱交換器７において蒸発気化された冷媒蒸気ｇ2は冷房用吸収熱交換器８および吸収器９において発生器２から導かれた吸収希溶液ｌ1に吸収されて吸収濃溶液ｌ2となって発生器２へ還流される。
【００１５】
一方、暖房運転時においては発生器２において発生された高温冷媒蒸気ｇ1が凝縮器として作用する室内熱交換器７において凝縮液化され、その際発生せしめられる温熱が室内暖房用熱源として利用される。そして、室内熱交換器７において凝縮液化された凝縮液冷媒ｌ3は、暖房用減圧機構５Ｂにおいて減圧された後、蒸発器として作用する室外熱交換器４において蒸発気化されて低温冷媒蒸気ｇ2となり、その後冷房用吸収熱交換器８および吸収器９において発生器２から導かれた吸収希溶液ｌ1に吸収されて吸収濃溶液ｌ2となって発生器２へ還流されるが、前記凝縮液冷媒ｌ3の一部は、前記冷房用吸収熱交換器８と一体形成された暖房用吸収熱交換器１７に供給され、ここで低温冷媒蒸気ｇ2の吸収希溶液ｌ1への吸収により生じた吸収熱によって蒸発気化されて冷媒蒸気ｇ3となって前記発生器２から四路切換弁１４に導かれる高温冷媒蒸気ｇ1に合流される。つまり、暖房用吸収熱交換器１７において吸収熱の回収が行われることとなり、暖房成績係数（以下、ＣＯＰという）が向上することとなるのである。
【００１６】
また、第１バイパス回路１８における暖房用吸収熱交換器１７の入口側に凝縮液冷媒ｌ3を圧送するための溶液ポンプ１９を介設するとともに、吸収器９から導かれる吸収濃溶液ｌ2の一部を溶液ポンプ１９の入口側へ導く濃溶液供給回路２４を付設したことにより、凝縮液冷媒ｌ3の暖房用吸収熱交換器１７への供給がヘッド差に関係なく円滑に行えるとともに、溶液ポンプ１９の入口側への吸収濃溶液ｌ2の供給により溶液の粘性の不足（即ち、冷媒のみでは潤滑が不十分となる）による溶液ポンプ１９の焼き付きを防止できる。
【００１７】
請求項４の発明におけるように、前記第１バイパス回路１８における前記暖房用吸収熱交換器１７の出口側に気液分離器２６を設けるとともに、該気液分離器２６における液相部２６ａの溶液ｌ4を前記吸収器９から導かれる吸収濃溶液ｌ2に合流させる一方、前記気液分離器２６における気相部２６ｂの冷媒蒸気ｇ3を前記発生器２から前記四路切換弁１４に導かれる途中の高温冷媒蒸気ｇ1に合流させるようにすると、溶液ポンプ１９の入口側への吸収濃溶液ｌ2の供給により暖房用吸収熱交換器１７において凝縮液冷媒ｌ3が完全に蒸発気化されないことがあっても、気液分離器２６において冷媒蒸気ｇ3と溶液ｌ4とに分離され、溶液ｌ4は吸収器９の出口側から導かれる吸収濃溶液ｌ2に合流される一方、冷媒蒸気ｇ3は発生器２からの高温冷媒蒸気ｇ1に合流されることとなり、室内熱交換器７へ供給される高温冷媒蒸気ｇ1の純度低下を防止することができる。
【００１８】
請求項５の発明におけるように、前記室外熱交換器４と前記室内熱交換器７との間に凝縮液冷媒ｌ3を貯溜するレシーバ１５を介設するとともに、該レシーバ１５に前記第１バイパス回路１８を接続した場合、凝縮液冷媒ｌ3が貯溜されているレシーバ１５から第１バイパス回路１８への凝縮液冷媒ｌ3の供給が行われることとなり、凝縮液冷媒ｌ3の供給が円滑に行える。
【００１９】
本願発明の第３の基本構成（請求項６の発明）では、上記課題を解決するための手段として、発生器２、室外熱交換器４、逆止弁６Ａを併設した冷房用減圧機構５Ａ、逆止弁６Ｂを併設した暖房用減圧機構５Ｂ、室内熱交換器７、冷房用吸収熱交換器８、吸収器９を順次接続してなる吸収式冷凍装置において、冷房運転時には前記発生器２から導かれる高温冷媒蒸気ｇ1を前記室外熱交換器４へ導き且つ前記室内熱交換器７から導かれる低温冷媒蒸気ｇ2を前記冷房用吸収熱交換器８へ導くとともに、暖房運転時には前記発生器２から導かれる高温冷媒蒸気ｇ1を前記室内熱交換器７へ導き且つ前記室外熱交換器４から導かれる低温冷媒蒸気ｇ2を前記冷房用吸収熱交換器８へ導くように冷媒流通方向を切り換える四路切換弁１４と、暖房運転時にのみ前記室内熱交換器７から導かれる凝縮液冷媒ｌ3の一部が供給され且つ前記冷房用吸収熱交換器８と一体形成された暖房用吸収熱交換器１７を備え、該暖房用吸収熱交換器１７において蒸発気化された冷媒蒸気ｇ3を前記発生器２から前記四路切換弁１４に導かれる途中の高温冷媒蒸気ｇ1に合流させる第１バイパス回路１８とを付設するとともに、前記室外熱交換器４と前記室内熱交換器７との間に凝縮液冷媒ｌ3を貯溜するレシーバ１５を介設するとともに、該レシーバ１５に前記第１バイパス回路１８を接続している。
【００２０】
上記のように構成したことにより、冷房運転時においては発生器２において発生された高温冷媒蒸気ｇ1が凝縮器として作用する室外熱交換器４において凝縮液化され、冷房用減圧機構５Ａにおいて減圧された後、蒸発器として作用する室内熱交換器７において蒸発気化され、その際発生せしめられる冷熱が室内冷房用熱源として利用される。なお、室内熱交換器７において蒸発気化された冷媒蒸気ｇ2は冷房用吸収熱交換器８および吸収器９において発生器２から導かれた吸収希溶液ｌ1に吸収されて吸収濃溶液ｌ2となって発生器２へ還流される。
【００２１】
一方、暖房運転時においては発生器２において発生された高温冷媒蒸気ｇ1が凝縮器として作用する室内熱交換器７において凝縮液化され、その際発生せしめられる温熱が室内暖房用熱源として利用される。そして、室内熱交換器７において凝縮液化された凝縮液冷媒ｌ3は、暖房用減圧機構５Ｂにおいて減圧された後、蒸発器として作用する室外熱交換器４において蒸発気化されて低温冷媒蒸気ｇ2となり、その後冷房用吸収熱交換器８および吸収器９において発生器２から導かれた吸収希溶液ｌ1に吸収されて吸収濃溶液ｌ2となって発生器２へ還流されるが、前記凝縮液冷媒ｌ3の一部は、前記冷房用吸収熱交換器８と一体形成された暖房用吸収熱交換器１７に供給され、ここで低温冷媒蒸気ｇ2の吸収希溶液ｌ1への吸収により生じた吸収熱によって蒸発気化されて冷媒蒸気ｇ3となって前記発生器２から四路切換弁１４に導かれる高温冷媒蒸気ｇ1に合流される。つまり、暖房用吸収熱交換器１７において吸収熱の回収が行われることとなり、暖房成績係数（以下、ＣＯＰという）が向上することとなるのである。
【００２２】
また、室外熱交換器４と室内熱交換器７との間に凝縮液冷媒ｌ3を貯溜するレシーバ１５を介設するとともに、該レシーバ１５に第１バイパス回路１８を接続したことにより、凝縮液冷媒ｌ3が貯溜されているレシーバ１５から第１バイパス回路１８への凝縮液冷媒ｌ3の供給が行われることとなり、凝縮液冷媒ｌ3の供給が円滑に行える。
【発明の実施の形態】
【００２３】
以下、添付の図面を参照して、本願発明の幾つかの好適な実施の形態について詳述する。
【００２４】
第１の実施の形態（請求項１、５、６に対応）
図１には、本願発明の第１の実施の形態にかかる吸収式冷凍装置の冷媒回路が示されている。
【００２５】
この吸収式冷凍装置は、冷媒として塩素原子を有しないＲ４０７Ｃ等の代替冷媒を用い、吸収液としてジエチレングリコールジメチルエーテル等の有機溶剤または冷凍機油等を用いるものであり、加熱手段として作用するガスバーナ１により加熱され、高温冷媒蒸気ｇ1を発生させる発生器２と、該発生器２により発生された高温冷媒蒸気ｇ1中に含まれる吸収液を分離する気液分離器３と、該気液分離器３から導かれる高温冷媒蒸気ｇ1が四路切換弁１４を介して冷房運転時および暖房運転時においてそれぞれ供給される室外熱交換器４および室内熱交換器７と、該室外熱交換器４と室内熱交換器７との間に介設された冷房用および暖房用減圧機構５Ａ，５Ｂと、冷房運転時に前記室内熱交換器７により蒸発気化され且つ前記四路切換弁１４を介して供給される低温冷媒蒸気ｇ2を前記発生器２から導かれる希溶液ｌ1に吸収させる際に発生する吸収熱を回収する冷房用吸収熱交換器８と、該冷房用吸収熱交換器８から導かれる溶液にさらに冷媒蒸気を吸収させる空冷吸収器９と、該空冷吸収器９から前記冷房用吸収熱交換器８を経て前記発生器２に導かれる途中の濃溶液ｌ2に前記発生器２から前記冷房用吸収熱交換器８に導かれる途中の希溶液ｌ1の保有する熱を回収する熱回収用溶液熱交換器１０とを備えて構成されている。符号１１は濃溶液ｌ2を圧送するための溶液ポンプ、１２は溶液ポンプ１１を保護するために濃溶液ｌ2を過冷却する過冷却器、１３は発生器２からの希溶液ｌ1を減圧するための減圧機構である。
【００２６】
前記冷房用および暖房用減圧機構５Ａ，５Ｂには、冷房運転時および暖房運転時において凝縮液冷媒ｌ3が減圧機構５Ａ，５Ｂをそれぞれ側路するように逆止弁６Ａ，６Ｂがそれぞれ併設されており、該減圧機構５Ａ，５Ｂ間には、凝縮液冷媒ｌ3を貯溜するためのレシーバ１５が設けられている。
【００２７】
この吸収式冷凍装置においては、前記レシーバ１５と前記冷房用減圧機構５Ａとの間にあって前記室外熱交換器４あるいは室内熱交換器７から導かれる凝縮冷媒ｌ3と前記室内熱交換器７あるいは室外熱交換器４から前記四路切換弁１４を経て導かれる低温冷媒蒸気ｇ2とを熱交換させる過冷却用気液熱交換器１６が付設されている。なお、該過冷却用気液熱交換器１６から導かれる低温冷媒蒸気ｇ2は冷房用吸収熱交換器８へ導かれる。
【００２８】
また、この吸収式冷凍装置においては、暖房運転時にのみ前記室内熱交換器７から導かれ、前記レシーバ１５に貯溜された凝縮液冷媒ｌ3の一部が供給され且つ前記冷房用吸収熱交換器８と一体形成された暖房用吸収熱交換器１７を備え、該暖房用吸収熱交換器１７において蒸発気化された冷媒蒸気ｇ3を前記発生器２から前記四路切換弁１４に導かれる途中の高温冷媒蒸気ｇ1に合流させる第１バイパス回路１８が付設されている。前記暖房用吸収熱交換器１７においては、冷房用吸収熱交換器８において発生器２から気液分離器３を経て供給される吸収希溶液ｌ1に室外熱交換器４から導かれる冷媒蒸気ｇ2を吸収する際に発生する吸収熱により凝縮液冷媒ｌ3の蒸発気化が行われる。前記第１バイパス回路１８における前記暖房用吸収熱交換器１７の入口側には、凝縮液冷媒ｌ3を圧送するための溶液ポンプ１９が介設されている。符号２０は冷房運転時に閉弁され、暖房運転時に開弁される第１冷暖切換弁である。
【００２９】
さらに、暖房運転時にのみ前記吸収器９の入口側の吸収液を前記吸収器９の出口側に側路させる第２バイパス回路２１が付設されている。該第２バイパス回路２１には、冷房運転時に閉弁され、暖房運転時に開弁される第２冷暖切換弁２２が介設されている。符号２３は空冷吸収器９の入口側に設けられ、冷房運転時に開弁され、暖房運転時に閉弁される第３冷暖切換弁である。
【００３０】
上記のように構成された吸収式冷凍装置は、次のように作用する。
【００３１】
（Ｉ）  冷房運転時
四路切換弁１４は実線方向に切り換えられ、第１および第２冷暖切換弁２０，２２は全閉とされ、第３冷暖切換弁２３は全開とされており、発生器２から発生された高温冷媒蒸気ｇ1は凝縮器として作用する室外熱交換器４において凝縮液化され、逆止弁６Ｂ、レシーバ１５を経て、過冷却用気液熱交換器１６において過冷却され、冷房用減圧機構５Ａにおいて減圧された後、蒸発器として作用する室内熱交換器７において蒸発気化され、その際発生せしめられる冷熱が室内冷房用熱源として利用される。なお、室内熱交換器７において蒸発気化された冷媒蒸気ｇ2は、四路切換弁１４を経て冷房用吸収熱交換器８、空冷吸収器９に導かれ、発生器２から導かれた吸収希溶液ｌ1に吸収され、得られた吸収濃溶液ｌ2は、過冷却器１２、ポンプ１１、冷房用吸収熱交換器８および熱回収用溶液熱交換器１０を経て発生器２へ還流される。
【００３２】
（ＩＩ）  暖房運転時
四路切換弁１４は点線方向に切り換えられ、第１および第２冷暖切換弁２０，２２は全開とされ、第３冷暖切換弁２３は全閉とされており、発生器２において発生された高温冷媒蒸気ｇ1が凝縮器として作用する室内熱交換器７において凝縮液化され、その際発生せしめられる温熱が室内暖房用熱源として利用される。なお、室内熱交換器７において凝縮液化された凝縮液冷媒ｌ3は、逆止弁６Ａを経て、過冷却用気液熱交換器１６において過冷却され、レシーバ１５を経て暖房用減圧機構５Ｂにおいて減圧された後、蒸発器として作用する室外熱交換器４において蒸発気化されて低温冷媒蒸気ｇ2となり、その後冷房用吸収熱交換器８および吸収器９において発生器２から導かれた吸収希溶液ｌ1に吸収されて吸収濃溶液ｌ2となって第２バイパス回路２１を経て発生器２へ還流されるが、前記凝縮液冷媒ｌ3の一部は、前記レシーバ１５から冷房用吸収熱交換器８と一体形成された暖房用吸収熱交換器１７に供給され、ここで低温冷媒蒸気ｇ2の吸収希溶液ｌ1への吸収により生じた吸収熱によって蒸発気化されて冷媒蒸気ｇ3となって前記発生器２から四路切換弁１４に導かれる高温冷媒蒸気ｇ1に合流される。つまり、暖房用吸収熱交換器１７において吸収熱の回収が行われることとなり、暖房成績係数（以下、ＣＯＰという）が向上することとなるのである。
【００３３】
しかも、暖房運転時においては、吸収熱交換器８，１７から導かれる吸収濃溶液ｌ2は空冷吸収器９をバイパスする第２バイパス回路２１を経て発生器２へ還流されることとなっているので、吸収熱交換器８，１７において回収されなかった熱が系外へ放出されることがなくなり、さらなる暖房ＣＯＰの向上が得られる。
【００３４】
第２の実施の形態（請求項１〜３、５、６に対応）
図２には、本願発明の第２の実施の形態にかかる吸収式冷凍装置の冷媒回路が示されている。
【００３５】
この場合、吸収器９から導かれる吸収濃溶液ｌ2の一部を、溶液ポンプ１１の出口側から第１バイパス回路１８における溶液ポンプ１９の入口側へ導く濃溶液供給回路２４が付設されている。符号２５は第２バイパス回路２４を流れる吸収濃溶液ｌ2の流量を制限するための絞り機構である。このようにすると、溶液ポンプ１９の入口側への吸収濃溶液ｌ2の供給により溶液の粘性の不足（即ち、冷媒のみでは潤滑が不十分となる）による溶液ポンプ１９の焼き付きを防止することができる。その他の構成および作用効果は第１の実施の形態におけると同様なので説明を省略する。
【００３６】
第３の実施の形態（請求項１〜５、６に対応）
図３には、本願発明の第３の実施の形態にかかる吸収式冷凍装置の冷媒回路が示されている。
【００３７】
この場合、第１バイパス回路１８における暖房用吸収熱交換器１７の出口側には、第２の気液分離器２６が設けられており、該気液分離器２６における液相部２６ａの溶液ｌ4は、吸収器９から導かれる吸収濃溶液ｌ2に合流せしめられる一方、前記気液分離器２６における気相部２６ｂの冷媒蒸気ｇ3は、前記発生器２から前記四路切換弁１４に導かれる途中の高温冷媒蒸気ｇ1に合流せしめられるように構成されている。このようにすると、溶液ポンプ１９の入口側への吸収濃溶液ｌ2の供給により暖房用吸収熱交換器１７において凝縮液冷媒ｌ3が完全に蒸発気化されないことがあっても、気液分離器２６において冷媒蒸気ｇ3と溶液ｌ4とに分離され、溶液ｌ4は吸収器９の出口側から導かれる吸収濃溶液ｌ2に合流される一方、冷媒蒸気ｇ3は発生器２からの高温冷媒蒸気ｇ1に合流されることとなり、室内熱交換器７へ供給される高温冷媒蒸気ｇ1の純度低下を防止することができる。従って、室内熱交換器７における凝縮温度の低下を防止することができる。その他の構成および作用効果は第１の実施の形態におけると同様なので説明を省略する。
【００３８】
第４の実施の形態（請求項１〜５、６に対応）
図４には、本願発明の第４の実施の形態にかかる吸収式冷凍装置の冷媒回路が示されている。
【００３９】
この場合、発生器２から導かれる高温冷媒蒸気ｇ1の保有する熱を吸収器９から前記発生器２に導かれる吸収濃溶液ｌ2の一部であって熱回収用溶液熱交換器１０をバイパスする濃溶液ｌ2に回収する熱回収用気液熱交換器２７が付設されている。このようにすると、前記熱回収用気液熱交換器２７において空冷吸収器９から導かれる吸収濃溶液ｌ2の一部と発生器２から導かれる高温冷媒蒸気ｇ1とが熱交換することとなり、吸収濃溶液ｌ2の温度上昇に寄与する（即ち、高温冷媒蒸気ｇ1の保有する熱量が吸収濃溶液ｌ2に熱回収される）。
【００４０】
また、この場合、前記熱回収用気液熱交換器２７から導かれる冷媒蒸気ｇ1中に含まれる吸収剤成分を分離する第３の気液分離器２８と、該気液分離器２８から導かれる冷媒蒸気ｇ1の保有する熱を冷房用吸収熱交換器８に導かれる途中の冷媒蒸気ｇ2に回収する熱回収用蒸気熱交換器２９とが付設されている。そして、前記気液分離器２８において分離された吸収剤成分を多く含む凝縮液ｌ5は気液分離器３から導かれる吸収液（即ち、高温希溶液）ｌ1に合流される。つまり、凝縮液ｌ5は高温希溶液ｌ1と合流して熱回収用溶液熱交換器１０へ供給されることとなっているのである。このようにすると、気液分離器２８において吸収剤成分が分離されることとなり、凝縮器として作用する室外熱交換器４あるいは室内熱交換器７へ供給される冷媒蒸気ｇ1の純度が大幅に向上することとなり、凝縮温度の低下をきたすことがなくなる。しかも、前記気液分離器２８において分離された吸収剤成分を多く含む凝縮液ｌ5は、気液分離器３から導かれる吸収希溶液ｌ1と合流した後、熱回収用溶液熱交換器１０へ供給されることとなり、凝縮液5の保有するエンタルピーを有効に利用することができる。また、前記冷房用吸収熱交換器８に供給される低温冷媒蒸気ｇ2の温度が、熱回収用蒸気熱交換器２９における高温冷媒蒸気ｇ1との熱交換により上昇せしめられることとなり、冷房用吸収熱交換器８における吸収熱回収もさらに向上する。
【００４１】
さらに、この場合、前記冷房用吸収熱交換器８から前記発生器２に導かれる途中の吸収濃溶液ｌ2の一部に前記発生器２から導かれる排気ガスｇ0の保有する熱を回収する排熱回収用熱交換器３０が前記熱回収用溶液熱交換器１０および熱回収用気液熱交換器２７と並列に設けられている。このようにすると、熱回収用溶液熱交換器１０、熱回収用気液熱交換器２７および排熱回収用熱交換器３０に供給される吸収濃溶液ｌ2の温度が低くなるため、吸収希溶液ｌ1、高温冷媒蒸気ｇ1および排気ガスｇ0の保有する熱を効率良く回収することができることとなり、全体としての熱回収量が増大する。
【００４２】
その他の構成および作用効果は第１の実施の形態におけると同様なので説明を省略する。
【００４３】
なお、フロン系、アンモニア系の吸収式冷凍装置においては、濃溶液はフロンあるいはアンモニアを多く含み、希溶液はフロンあるいはアンモニアを少なく含む溶液を表現するが、ＬｉＢｒ／水系の吸収式冷凍装置の場合、濃溶液はＬｉＢｒを多く含み、希溶液はＬｉＢｒを少なく含む溶液を表現する。
【発明の効果】
【００４４】
本願発明の第１の基本構成（請求項１の発明）によれば、発生器２、室外熱交換器４、逆止弁６Ａを併設した冷房用減圧機構５Ａ、逆止弁６Ｂを併設した暖房用減圧機構５Ｂ、室内熱交換器７、冷房用吸収熱交換器８、吸収器９を順次接続してなる吸収式冷凍装置において、冷房運転時には前記発生器２から導かれる高温冷媒蒸気ｇ1を前記室外熱交換器４へ導き且つ前記室内熱交換器７から導かれる低温冷媒蒸気ｇ2を前記冷房用吸収熱交換器８へ導くとともに、暖房運転時には前記発生器２から導かれる高温冷媒蒸気ｇ1を前記室内熱交換器７へ導き且つ前記室外熱交換器４から導かれる低温冷媒蒸気ｇ2を前記冷房用吸収熱交換器８へ導くように冷媒流通方向を切り換える四路切換弁１４と、暖房運転時にのみ前記室内熱交換器７から導かれる凝縮液冷媒ｌ3の一部が供給され且つ前記冷房用吸収熱交換器８と一体形成された暖房用吸収熱交換器１７を備え、該暖房用吸収熱交換器１７において蒸発気化された冷媒蒸気ｇ3を前記発生器２から前記四路切換弁１４に導かれる途中の高温冷媒蒸気ｇ1に合流させる第１バイパス回路１８とと、暖房運転時にのみ前記吸収器９の入口側の吸収液を前記吸収器９の出口側に側路させる第２バイパス回路２１とを付設して、暖房運転時においては発生器２において発生された高温冷媒蒸気ｇ1が凝縮器として作用する室内熱交換器７において凝縮液化され、その際発生せしめられる温熱が室内暖房用熱源として利用されるとともに、蒸発器として作用する室外熱交換器４において蒸発気化された低温冷媒蒸気ｇ2が、冷房用吸収熱交換器８および吸収器９において発生器２から導かれた吸収希溶液ｌ1に吸収され、その際発生する吸収熱により前記冷房用吸収熱交換器８と一体形成された暖房用吸収熱交換器１７に供給された凝縮液冷媒ｌ3を蒸発気化し（即ち、熱回収し）、冷媒蒸気ｇ3となって前記発生器２から四路切換弁１４に導かれる高温冷媒蒸気ｇ1に合流されるようにしたので、暖房用吸収熱交換器１７において吸収熱の回収が行われることとなり、暖房成績係数（以下、ＣＯＰという）が向上するという優れた効果がある。また、暖房運転時にのみ前記吸収器９の入口側の吸収液を前記吸収器９の出口側に側路させる第２バイパス回路２１を付設したことにより、吸収熱交換器８，１７において回収されなかった熱が系外へ放出されることがなくなり、さらなる暖房ＣＯＰの向上が得られるという効果もある。
【００４５】
請求項２の発明におけるように、前記第１バイパス回路１８における暖房用吸収熱交換器１７の入口側に凝縮液冷媒ｌ3を圧送するための溶液ポンプ１９を介設するとともに、前記吸収器９から導かれる吸収濃溶液ｌ2の一部を前記溶液ポンプ１９の入口側へ導く濃溶液供給回路２４を付設した場合、凝縮液冷媒ｌ3の暖房用吸収熱交換器１７への供給がヘッド差に関係なく円滑に行えるとともに、溶液ポンプ１９の入口側への吸収濃溶液ｌ2の供給により溶液の粘性の不足（即ち、冷媒のみでは潤滑が不十分となる）による溶液ポンプ１９の焼き付きを防止できる。
【００４６】
本願発明の第２の基本構成（請求項３の発明）によれば、発生器２、室外熱交換器４、逆止弁６Ａを併設した冷房用減圧機構５Ａ、逆止弁６Ｂを併設した暖房用減圧機構５Ｂ、室内熱交換器７、冷房用吸収熱交換器８、吸収器９を順次接続してなる吸収式冷凍装置において、冷房運転時には前記発生器２から導かれる高温冷媒蒸気ｇ1を前記室外熱交換器４へ導き且つ前記室内熱交換器７から導かれる低温冷媒蒸気ｇ2を前記冷房用吸収熱交換器８へ導くとともに、暖房運転時には前記発生器２から導かれる高温冷媒蒸気ｇ1を前記室内熱交換器７へ導き且つ前記室外熱交換器４から導かれる低温冷媒蒸気ｇ2を前記冷房用吸収熱交換器８へ導くように冷媒流通方向を切り換える四路切換弁１４と、暖房運転時にのみ前記室内熱交換器７から導かれる凝縮液冷媒ｌ3の一部が供給され且つ前記冷房用吸収熱交換器８と一体形成された暖房用吸収熱交換器１７を備え、該暖房用吸収熱交換器１７において蒸発気化された冷媒蒸気ｇ3を前記発生器２から前記四路切換弁１４に導かれる途中の高温冷媒蒸気ｇ1に合流させる第１バイパス回路１８とを付設するとともに、前記第１バイパス回路１８における暖房用吸収熱交換器１７の入口側に凝縮液冷媒ｌ3を圧送するための溶液ポンプ１９を介設し且つ前記吸収器９から導かれる吸収濃溶液ｌ2の一部を前記溶液ポンプ１９の入口側へ導く濃溶液供給回路２４を付設して、暖房運転時においては発生器２において発生された高温冷媒蒸気ｇ1が凝縮器として作用する室内熱交換器７において凝縮液化され、その際発生せしめられる温熱が室内暖房用熱源として利用されるとともに、蒸発器として作用する室外熱交換器４において蒸発気化された低温冷媒蒸気ｇ2が、冷房用吸収熱交換器８および吸収器９において発生器２から導かれた吸収希溶液ｌ1に吸収され、その際発生する吸収熱により前記冷房用吸収熱交換器８と一体形成された暖房用吸収熱交換器１７に供給された凝縮液冷媒ｌ3を蒸発気化し（即ち、熱回収し）、冷媒蒸気ｇ3となって前記発生器２から四路切換弁１４に導かれる高温冷媒蒸気ｇ1に合流されるようにしたので、暖房用吸収熱交換器１７において吸収熱の回収が行われることとなり、暖房成績係数（以下、ＣＯＰという）が向上するという優れた効果がある。また、第１バイパス回路１８における暖房用吸収熱交換器１７の入口側に凝縮液冷媒ｌ3を圧送するための溶液ポンプ１９を介設するとともに、吸収器９から導かれる吸収濃溶液ｌ2の一部を溶液ポンプ１９の入口側へ導く濃溶液供給回路２４を付設したことにより、凝縮液冷媒ｌ3の暖房用吸収熱交換器１７への供給がヘッド差に関係なく円滑に行えるとともに、溶液ポンプ１９の入口側への吸収濃溶液ｌ2の供給により溶液の粘性の不足（即ち、冷媒のみでは潤滑が不十分となる）による溶液ポンプ１９の焼き付きを防止できるという効果もある。
【００４７】
請求項４の発明におけるように、前記第１バイパス回路１８における前記暖房用吸収熱交換器１７の出口側に気液分離器２６を設けるとともに、該気液分離器２６における液相部２６ａの溶液ｌ4を前記吸収器９から導かれる吸収濃溶液ｌ2に合流させる一方、前記気液分離器２６における気相部２６ｂの冷媒蒸気ｇ3を前記発生器２から前記四路切換弁１４に導かれる途中の高温冷媒蒸気ｇ1に合流させるようにすると、溶液ポンプ１９の入口側への吸収濃溶液ｌ2の供給により暖房用吸収熱交換器１７において凝縮液冷媒ｌ3が完全に蒸発気化されないことがあっても、気液分離器２６において冷媒蒸気ｇ3と溶液ｌ4とに分離され、溶液ｌ4は吸収器９の出口側から導かれる吸収濃溶液ｌ2に合流される一方、冷媒蒸気ｇ3は発生器２からの高温冷媒蒸気ｇ1に合流されることとなり、室内熱交換器７へ供給される高温冷媒蒸気ｇ1の純度低下を防止することができる。
【００４８】
請求項５の発明におけるように、前記室外熱交換器４と前記室内熱交換器７との間に凝縮液冷媒ｌ3を貯溜するレシーバ１５を介設するとともに、該レシーバ１５に前記第１バイパス回路１８を接続した場合、凝縮液冷媒ｌ3が貯溜されているレシーバ１５から第１バイパス回路１８への凝縮液冷媒ｌ3の供給が行われることとなり、凝縮液冷媒ｌ3の供給が円滑に行える。
【００４９】
本願発明の第３の基本構成（請求項６の発明）によれば、発生器２、室外熱交換器４、逆止弁６Ａを併設した冷房用減圧機構５Ａ、逆止弁６Ｂを併設した暖房用減圧機構５Ｂ、室内熱交換器７、冷房用吸収熱交換器８、吸収器９を順次接続してなる吸収式冷凍装置において、冷房運転時には前記発生器２から導かれる高温冷媒蒸気ｇ1を前記室外熱交換器４へ導き且つ前記室内熱交換器７から導かれる低温冷媒蒸気ｇ2を前記冷房用吸収熱交換器８へ導くとともに、暖房運転時には前記発生器２から導かれる高温冷媒蒸気ｇ1を前記室内熱交換器７へ導き且つ前記室外熱交換器４から導かれる低温冷媒蒸気ｇ2を前記冷房用吸収熱交換器８へ導くように冷媒流通方向を切り換える四路切換弁１４と、暖房運転時にのみ前記室内熱交換器７から導かれる凝縮液冷媒ｌ3の一部が供給され且つ前記冷房用吸収熱交換器８と一体形成された暖房用吸収熱交換器１７を備え、該暖房用吸収熱交換器１７において蒸発気化された冷媒蒸気ｇ3を前記発生器２から前記四路切換弁１４に導かれる途中の高温冷媒蒸気ｇ1に合流させる第１バイパス回路１８とを付設するとともに、前記室外熱交換器４と前記室内熱交換器７との間に凝縮液冷媒ｌ3を貯溜するレシーバ１５を介設するとともに、該レシーバ１５に前記第１バイパス回路１８を接続して、暖房運転時においては発生器２において発生された高温冷媒蒸気ｇ1が凝縮器として作用する室内熱交換器７において凝縮液化され、その際発生せしめられる温熱が室内暖房用熱源として利用されるとともに、蒸発器として作用する室外熱交換器４において蒸発気化された低温冷媒蒸気ｇ2が、冷房用吸収熱交換器８および吸収器９において発生器２から導かれた吸収希溶液ｌ1に吸収され、その際発生する吸収熱により前記冷房用吸収熱交換器８と一体形成された暖房用吸収熱交換器１７に供給された凝縮液冷媒ｌ3を蒸発気化し（即ち、熱回収し）、冷媒蒸気ｇ3となって前記発生器２から四路切換弁１４に導かれる高温冷媒蒸気ｇ1に合流されるようにしたので、暖房用吸収熱交換器１７において吸収熱の回収が行われることとなり、暖房成績係数（以下、ＣＯＰという）が向上するという優れた効果がある。また、室外熱交換器４と室内熱交換器７との間に凝縮液冷媒ｌ3を貯溜するレシーバ１５を介設するとともに、該レシーバ１５に第１バイパス回路１８を接続したことにより、凝縮液冷媒ｌ3が貯溜されているレシーバ１５から第１バイパス回路１８への凝縮液冷媒ｌ3の供給が行われることとなり、凝縮液冷媒ｌ3の供給が円滑に行えるという効果もある。
【図面の簡単な説明】
【図１】  本願発明の第１の実施の形態にかかる吸収式冷凍装置の冷媒回路図である。
【図２】  本願発明の第２の実施の形態にかかる吸収式冷凍装置の冷媒回路図である。
【図３】  本願発明の第３の実施の形態にかかる吸収式冷凍装置の冷媒回路図である。
【図４】  本願発明の第４の実施の形態にかかる吸収式冷凍装置の冷媒回路図である。
【符号の説明】
２は発生器、４は室外熱交換器、５Ａは冷房用減圧機構、５Ｂは暖房用減圧機構、６Ａ，６Ｂは逆止弁、７は室内熱交換器、８は冷房用吸収熱交換器、９は吸収器（空冷吸収器）、１４は四路切換弁、１５はレシーバ、１７は暖房用吸収熱交換器、１８は第１バイパス回路、１９は溶液ポンプ、２０は第１冷暖切換弁、２１は第２バイパス回路、２２は第２冷暖切換弁、２３は第３冷暖切換弁、２４は濃溶液供給回路、２６は気液分離器、２６ａは液相部、２６ｂは気相部、ｇ0は排気ガス、ｇ1は高温冷媒蒸気、ｇ2は低温冷媒蒸気、ｇ3は冷媒蒸気、ｌ1は希溶液、ｌ2は濃溶液、ｌ3は凝縮液冷媒、ｌ4は溶液。
【図１】
0003780643.tif 000002
【図２】
0003780643.tif 000003
【図３】
0003780643.tif 000004
【図４】
0003780643.tif 000005